【手続補正書】
【提出日】平成26年3月13日(2014.3.13)
【手続補正１】
【補正対象書類名】特許請求の範囲
【補正対象項目名】全文
【補正方法】変更
【補正の内容】
【特許請求の範囲】
【請求項１】
ホスト装置に、
ネットワークに設置された第１のネットワーク装置のネットワーク情報を含む設定情報を保持させ、
前記第１のネットワーク装置の稼働状況に関する情報を取得させて保持させ、
前記ネットワークにネットワーク装置が設置されることを検出させ、
前記ネットワークに第２のネットワーク装置が設置されたことを検出した時、前記第２のネットワーク装置が自動設定モードであり、前記第１のネットワーク装置と同機種で、保持された前記第１のネットワーク装置の稼働状況に関する情報が稼働していないことを示す情報である場合、前記第１のネットワーク装置の前記設定情報を、前記第２のネットワーク装置に設定させる指示を出させることを実行させることを特徴とするネットワーク設定プログラム。
【請求項２】
前記ネットワーク情報は、ＩＰアドレスを含む請求項１に記載のネットワーク設定プログラム。
【請求項３】
前記第１のネットワーク装置及び前記第２のネットワーク装置は、プリンターである請求項１または２に記載のネットワーク設定プログラム。
【請求項４】
ホスト装置で、ネットワークに設置された第１のネットワーク装置のネットワーク情報を含む設定情報を保持し、
前記ホスト装置で、前記第１のネットワーク装置の稼働状況に関する情報を取得して保持し、
前記ホスト装置で、前記ネットワークにネットワーク装置が設置されることを検出し、
前記ネットワークに第２のネットワーク装置が設置されたことを検出した時、前記第２のネットワーク装置が自動設定モードであり、前記第１のネットワーク装置と同機種で、保持された前記第１のネットワーク装置の稼働状況に関する情報が稼働していないことを示す情報である場合、前記第１のネットワーク装置の前記設定情報を、前記第２のネットワーク装置に設定する指示を出すことを特徴とするネットワーク設定方法。
【請求項５】
ネットワークに設置される第１のネットワーク装置と、
前記ネットワークに設置された時に自動設定を行う自動設定モードが設定される設定部を有する第２のネットワーク装置と、
前記第１のネットワーク装置と接続し、前記ネットワークに設置された第１のネットワーク装置のネットワーク情報を含む設定情報及び前記第１のネットワーク装置の稼働状況に関する情報を記憶する記憶部、前記ネットワークにネットワーク装置が設置されることを検出する検出部、及び前記ネットワークに前記第２のネットワーク装置が設置された時に前記第２のネットワーク装置に自動設定モードが設定されて前記第２のネットワーク装置が前記第１のネットワーク装置と同機種で、前記記憶部に記憶された前記第１のネットワーク装置の稼働状況に関する情報が稼働していないことを示す情報である場合に前記第１のネットワーク装置の前記設定情報を前記第２のネットワーク装置に設定する指示を出すネットワーク設定部を有するホスト装置と、
を備えることを特徴とするネットワークシステム。
【請求項６】
前記第２のネットワーク装置は、前記ホスト装置で出された前記指示を受けた後、ユーザーに対して自動設定の報知をし、当該報知に対する自動設定を行う旨のユーザー指示を受けた後に、前記指示を実行する請求項５に記載のネットワークシステム。
【請求項７】
前記第１のネットワーク装置及び前記第２のネットワーク装置は、プリンターである請求項５または６に記載のネットワークシステム。
【請求項８】
ホスト装置でネットワークに設置された第１のネットワーク装置のネットワーク情報を含む設定情報を保持し、
前記ホスト装置で、前記第１のネットワーク装置の稼働状況に関する情報を取得して保持し、
前記ホスト装置で、前記ネットワークにネットワーク装置が設置されることを検出し、
前記ネットワークに第２のネットワーク装置が設置されたことを検出した時、検出された前記第２のネットワーク装置が自動設定モードであり、前記第１のネットワーク装置と同機種で、保持された前記第１のネットワーク装置の稼働状況に関する情報が稼働していないことを示す情報である場合、前記第１のネットワーク装置の前記設定情報を、前記第２のネットワーク装置に設定する指示を出し、
前記第２のネットワーク装置が、前記指示に従って前記設定情報の設定処理を実行することを特徴とするネットワーク設定方法。
【手続補正２】
【補正対象書類名】明細書
【補正対象項目名】発明の名称
【補正方法】変更
【補正の内容】
【発明の名称】ネットワーク設定ログラム、ネットワーク設定方法、及びネットワークシステム
【手続補正３】
【補正対象書類名】明細書
【補正対象項目名】００１０
【補正方法】変更
【補正の内容】
【００１０】
上記の目的を達成するために、本発明の一つの側面は、ネットワーク設定プログラムが、ホスト装置に、ネットワークに設置された第１のネットワーク装置のネットワーク情報を含む設定情報を保持させ、前記第１のネットワーク装置の稼働状況に関する情報を取得させて保持させ、前記ネットワークにネットワーク装置が設置されることを検出させ、前記ネットワークに第２のネットワーク装置が設置されたことを検出した時、前記第２のネットワーク装置が自動設定モードであり、前記第１のネットワーク装置と同機種で、保持された前記第１のネットワーク装置の稼働状況に関する情報が稼働していないことを示す情報である場合、前記第１のネットワーク装置の前記設定情報を、前記第２のネットワーク装置に設定させる指示を出させることを実行させる、ことである。
【手続補正４】
【補正対象書類名】明細書
【補正対象項目名】００１２
【補正方法】変更
【補正の内容】
【００１２】
更にまた、上記の発明において、一つの態様は、前記第１のネットワーク装置及び前記第２のネットワーク装置は、プリンターである、ことを特徴とする。
【手続補正５】
【補正対象書類名】明細書
【補正対象項目名】００１３
【補正方法】変更
【補正の内容】
【００１３】
上記の目的を達成するために、本発明の別の側面は、ネットワーク設定方法において、ホスト装置で、ネットワークに設置された第１のネットワーク装置のネットワーク情報を含む設定情報を保持し、前記ホスト装置で、前記第１のネットワーク装置の稼働状況に関する情報を取得して保持し、前記ホスト装置で、前記ネットワークにネットワーク装置が設置されることを検出し、前記ネットワークに第２のネットワーク装置が設置されたことを検出した時、前記第２のネットワーク装置が自動設定モードであり、前記第１のネットワーク装置と同機種で、保持された前記第１のネットワーク装置の稼働状況に関する情報が稼働していないことを示す情報である場合、前記第１のネットワーク装置の前記設定情報を、前記第２のネットワーク装置に設定する指示を出すことである。
【手続補正６】
【補正対象書類名】明細書
【補正対象項目名】００１４
【補正方法】変更
【補正の内容】
【００１４】
上記の目的を達成するために、本発明の更に別の側面は、ネットワークシステムが、ネットワークに設置される第１のネットワーク装置と、前記ネットワークに設置された時に自動設定を行う自動設定モードが設定される設定部を有する第２のネットワーク装置と、前記第１のネットワーク装置と接続し、前記ネットワークに設置された第１のネットワーク装置のネットワーク情報を含む設定情報及び前記第１のネットワーク装置の稼働状況に関する情報を記憶する記憶部、前記ネットワークにネットワーク装置が設置されることを検出する検出部、及び前記ネットワークに前記第２のネットワーク装置が設置された時に前記第２のネットワーク装置に自動設定モードが設定されて前記第２のネットワーク装置が前記第１のネットワーク装置と同機種で、前記記憶部に記憶された前記第１のネットワーク装置の稼働状況に関する情報が稼働していないことを示す情報である場合に前記第１のネットワーク装置の前記設定情報を前記第２のネットワーク装置に設定する指示を出すネットワーク設定部を有するホスト装置と、を備える、ことである。
【手続補正７】
【補正対象書類名】明細書
【補正対象項目名】００１５
【補正方法】変更
【補正の内容】
【００１５】
更に、上記の発明において、その好ましい態様は、前記第２のネットワーク装置は、前記ホスト装置で出された前記指示を受けた後、ユーザーに対して自動設定の報知をし、当該報知に対する自動設定を行う旨のユーザー指示を受けた後に、前記指示を実行する、ことを特徴とする。
【手続補正８】
【補正対象書類名】明細書
【補正対象項目名】００１６
【補正方法】変更
【補正の内容】
【００１６】
更にまた、上記の発明において、一つの態様は、前記第１のネットワーク装置及び前記第２のネットワーク装置は、プリンターである、ことを特徴とする。
【手続補正９】
【補正対象書類名】明細書
【補正対象項目名】００１７
【補正方法】変更
【補正の内容】
【００１７】
上記の目的を達成するために、本発明の更に別の側面は、ネットワーク設定方法において、ホスト装置でネットワークに設置された第１のネットワーク装置のネットワーク情報を含む設定情報を保持し、前記ホスト装置で、前記第１のネットワーク装置の稼働状況に関する情報を取得して保持し、前記ホスト装置で、前記ネットワークにネットワーク装置が設置されることを検出し、前記ネットワークに第２のネットワーク装置が設置されたことを検出した時、検出された前記第２のネットワーク装置が自動設定モードであり、前記第１のネットワーク装置と同機種で、保持された前記第１のネットワーク装置の稼働状況に関する情報が稼働していないことを示す情報である場合、前記第１のネットワーク装置の前記設定情報を、前記第２のネットワーク装置に設定する指示を出し、前記第２のネットワーク装置が、前記指示に従って前記設定情報の設定処理を実行する、ことである。